(57)【要約】【課題】着脱作業の際にねじや固定しようとする電子機器を落下させたりすることを防止でき、安全性が高く、しかも狭い場所などでも容易に、かつ、スムースに着脱作業を行うことができ、さらに、簡単な加工で製造することができるようにする。【解決手段】ポール２に取付ける支持部材３と、電子機器１を固定して支持部材にねじ止めする受け部材４とを備えた取付装置であって、支持部材３には、略く字型を呈する細長形状の折曲溝３４を穿設した係止面３１と、係止面３１と隣接し細長ストレート形状の直線溝３５を穿設した密着面３３とを有するとともに、受け部材には、折曲溝３４に挿通させて係止面３１に螺着させる第１ねじ１０Ａを取付けるねじ孔４１Ａを設けたスライド面４１と、直線溝３５に挿通させて密着面３３に螺着させる第２のねじ１０Ｂを取付けるねじ孔４３Ａを設けた重合面４３とを有している。【選択図】  図１
2004319841.tif 000002
【特許請求の範囲】
【請求項１】
不動状態の基体に取付ける支持部材と、電子機器を固定するとともに前記支持部材にねじ止めして固定させる受け部材とを備え、前記電子機器を前記基体に取付ける取付装置であって、
前記支持部材及び受け部材のいずれか一方に、少なくとも、略く字型を呈する細長形状の折曲溝を穿設した係止面と、前記係止面と隣接し細長ストレート形状の直線溝を穿設した密着面とを有するとともに、
前記支持部材及び受け部材のいずれか他方に、前記折曲溝に挿通させて前記係止面に螺着させる第１のねじを取付けるねじ孔を設けたスライド面と、前記直線溝に挿通させて前記密着面に螺着させる第２のねじを取付けるねじ孔を設けた重合面とを有することを特徴とする電子機器の取付装置。
【請求項２】
不動状態の基体に取付ける支持部材と、電子機器を固定するとともに前記支持部材にねじ止めして固定させる受け部材とを備え、前記電子機器を前記基体に取付ける取付装置であって、
前記支持部材と前記受け部材とのいずれかに一方おいて、少なくとも、細長ストレート形状の直線溝を穿設した密着面と、第１のねじを取付けるねじ孔を設けたスライド面とを互いに隣接して設けるとともに、
前記支持部材と前記受け部材とのいずれか他方において、少なくとも、略く字型を呈する細長形状の折曲溝を穿設した係止面と、第２のねじを取付けるねじ孔を設けた重合面とを互いに隣接して設け、
前記第１のねじは前記折曲溝に螺着するとともに、前記第２のねじは前記直線溝に螺着するように構成したことを特徴とする電子機器の取付装置。
【請求項３】
前記密着面は、前記係止面と隣接する両側部のうち、前記折曲溝の折曲先に近い方の側部で構成してあることを特徴とする請求項１又は２に記載の電子機器の取付装置。
【請求項４】
前記折曲溝の最奥部から前記密着面までの距離と、前記スライド面の前記ねじ孔から前記重合面までの距離とが略同一であることを特徴とする請求項１〜３のいずれか１項に記載の電子機器の取付装置。
【請求項５】
前記折曲溝を切欠いた係止面を有する前記支持部材及び受け部材のいずれか一方には、前記係止面と対向する対向面に、前記折曲溝と同一大、かつ、同一形状の折曲溝を穿設してあることを特徴とする請求項１〜４のいずれか１項に記載の電子機器の取付装置。
【請求項６】
前記支持部材は、前記基体にＵボルトを介して組付けた断面略コ字型を有するとともに、
前記受け部材は、前記支持部材に内挿又は外挿可能な断面略ロ字型を有することを特徴とする請求項１〜５のいずれか１項に記載の電子機器の取付装置。
【請求項７】
前記受け部材には、対向する２面のいずれにも同一位置に前記ねじを止め付けるねじ孔を設け、前記電子機器に対する固定の向きを変更可能に構成したことを特徴とする請求項１〜６のいずれか１項に記載の電子機器の取付装置。
【請求項８】
前記折曲溝は、入り口から伸びるストレート部と、前記ストレート部から折曲する傾斜部とを有するとともに、
前記ストレート部に対する前記傾斜部の折曲角度は、３０度以上で９０度以下であることを特徴とする請求項１〜７のいずれか１項に記載の電子機器の取付装置。
【発明の詳細な説明】
【０００１】
【発明の属する技術分野】
本発明は、不動状態のポール（支柱）などの基体に取付けた支持部材とこの支持部材にねじ止めして固定させるために電子機器に固定された受け部材とを備え、電子機器を基体に固定する電子機器の取付装置に関するものである。
【０００２】
【従来の技術】
従来、ポール（支柱）などの固定された部分（以下、これを「基体」とよぶ）に電子機器を取付けるため、各種の取付装置が開発され使用されている。例えば、この取付装置として、図７に示すように、一対の支持部材１０１及び受け部材１０２を用いて支柱１０３などの基体に対して電子機器を納めた筐体１０４などを螺着して固定するものが広く知られている（例えば、特許文献１参照）。
【０００３】
また、近年、データ通信やインターネットなどを行うために、メタリックケーブルを利用したＡＤＳＬや、光ファイバケーブルを利用したＦＴＴＨなどのような通信システムが開発されて広く普及してきているが、これらのケーブルを利用できない地域などでもデータ通信などを実現できるようにするため、例えば固定系無線アクセスシステム（ＦＷＡ；Ｆｉｘｅｄ  Ｗｉｒｅｌｅｓｓ  Ａｃｃｅｓｓ）なども開発されて使用され始めている。
【０００４】
このような無線アクセスシステム（ＦＷＡ）では、通常例えば、基地局用のアンテナやＯＤＵ（Ｏｕｔ  Ｄｏｏｒ  Ｕｎｉｔ）などの屋外装置をマンションその他の高層建築物などに設置するとともに、加入者局（ＣＰＥ；Ｃｕｓｔｏｍｅｒ  Ｐｒｅｍｉｓｅｓ  Ｅｑｕｉｐｍｅｎｔ）用のアンテナやＯＤＵなどの屋外装置を集合住宅のベランダのフェンスなどに設置するようになっている。
【０００５】
そこで、このような屋外装置をフェンスなどに取付ける場合、例えば図８に示すような取付け装置などを用いている。
即ち、この取付け装置には、フェンスなどの不動状態にある図示外の基体に対して直立状態で固設したポール１１１と、このポール１１１にＵボルト１１２などを介して固定した支持部材１１３と、アンテナなどの電子機器を収めた筐体１１４の背面１１４Ｂなどに取付けて支持部材１１３に螺着させる受け部材１１５などとを備えたものなどが知られている。
【０００６】
【特許文献１】
特開平１０−２１３１１２号公報（第２頁右欄中段〜第３頁左欄中段、図１５，１６）
【０００７】
【発明が解決しようとする課題】
しかしながら、前者のような取付装置にあっては、図９に示すように、支持部材１０１及び受け部材１０２の各側面１０１Ａ，１０２Ａをねじ１０６で螺着する際に、双方のねじ孔１０１Ｂ，１０２Ｂを一致させるのが容易ではなく、特に作業場所が狭いところや高所などでは、危険と困難とをともなっている。しかも、このような場所では、支持部材１０１を受け部材１０２から取り外す際に、ねじを緩めすぎてそのねじを落下させたり、受け部材１０２と電子機器を納めた筐体１０４とを落下させる虞もあり、着脱作業に非常な困難を伴っている。
【０００８】
一方、後者のような取付装置にあっては、図８に示すように、受け部材１１５には、断面略Ｕ字型の係止部１１５Ａが設けてある。従って、受け部材１１５を支持部材１１３に装着させる際に、支持部材１１３に受け部材１１５を一時的に係止させておくことができ、ねじ１１６の螺着作業や緩める作業が容易行えるように工夫されているので、その点では都合がよい。
【０００９】
ところが、この取付装置でも、双方のねじ孔の位置合わせが面倒であるとともに、ねじを落下させる虞がある。しかも、この支持部材１１３や受け部材１１５は、加工が面倒であり、例えば受け部材１１５の上部に設けた係止部１１５Ａなどを折曲げ加工するのは面倒である。一方、支持部材１１３についても、断面略Ｔ字型の中央部分は１８０度に大きく折り返した加工などを行うので、加工作業が面倒である。
【００１０】
そこで、この発明は、上記した事情に鑑み、着脱作業の際にねじや固定しようとする電子機器を落下させたりすることを防止でき、安全性が高く、しかも狭い場所などでも容易に、かつ、スムースに着脱作業を行うことができる作業性が良好なものであって、しかも、簡単な加工で製造することができる電子機器の取付装置を提供することを目的とするものである。
【００１１】
【課題を解決するための手段】
この発明の電子機器の取付装置は、不動状態の基体に取付ける支持部材と、電子機器を固定するとともに前記支持部材にねじ止めして固定させる受け部材とを備え、前記電子機器を前記基体に取付ける取付装置であって、
前記支持部材及び受け部材のいずれか一方に、少なくとも、略く字型を呈する細長形状の折曲溝を穿設した係止面と、前記係止面と隣接し細長ストレート形状の直線溝を穿設した密着面とを有するとともに、
前記支持部材及び受け部材のいずれか他方に、前記折曲溝に挿通させて前記係止面に螺着させる第１のねじを取付けるねじ孔を設けたスライド面と、前記直線溝に挿通させて前記密着面に螺着させる第２のねじを取付けるねじ孔を設けた重合面とを有することを特徴としている。
【００１２】
これにより、組み付け作業の途中で、受け部材や電子機器から、これらを把持している手を一時的に離しても、受け部材や電子機器が自重で傾斜して、ねじの縁部が折曲溝のある係止面に係止することにより、脱落防止作用が発生する。このため、特に、支持部材から受け部材や電子機器が支持部材に一時的に仮止めされた状態となり、自由となった手を使って、ねじの締め付け作業を確実に行うことができる。
その結果、電子機器の着脱作業の際にねじや固定しようとする電子機器を落下させたりすることを防止でき、安全性が高く、しかも狭い場所などでも容易に、かつ、スムースに着脱作業を行うことができる。
さらに、形状が簡易であるので、簡単な加工で製造することもできる
【００１３】
この発明の電子機器の取付装置は、不動状態の基体に取付ける支持部材と、電子機器を固定するとともに前記支持部材にねじ止めして固定させる受け部材とを備え、前記電子機器を前記基体に取付ける取付装置であって、
前記支持部材と前記受け部材とのいずれか一方において、少なくとも、細長ストレート形状の直線溝を穿設した密着面と、第１のねじを取付けるねじ孔を設けたスライド面とを互いに隣接して設けるとともに、
前記支持部材と前記受け部材とのいずれか他方において、少なくとも、略く字型を呈する細長形状の折曲溝を穿設した係止面と、第２のねじを取付けるねじ孔を設けた重合面とを互いに隣接して設け、
前記第１のねじは前記折曲溝に螺着するとともに、前記第２のねじは前記直線溝に螺着するように構成したことを特徴としている。
【００１４】
この場合にも、同様にして、組み付け作業の途中で、受け部材や電子機器から、これらを把持している手を一時的に離しても、受け部材や電子機器が自重で傾斜して、ねじの縁部が折曲溝のある係止面に係止することにより、脱落防止作用が発生する。
これにより、同様に、電子機器の着脱作業の際にねじや固定しようとする電子機器を落下させたりすることを防止でき、安全性が高く、しかも狭い場所などでも容易に、かつ、スムースに着脱作業を行うことができる。
【００１５】
また、この発明の電子機器の取付装置は、前記密着面が、前記係止面と隣接する両側部のうち、前記折曲溝の折曲先に近い方の側部で構成してあることを特徴としている。
【００１６】
これにより、密着面の直線溝と係止面の折曲溝とのそれぞれ奥部まで挿入させた最低２本のねじで支持部材及び受け部材を挟持・挟着させることにより、強固な抜け止め効果を発揮することができる。
【００１７】
また、この発明の電子機器の取付装置は、前記折曲溝の最奥部から前記密着面までの距離と、前記スライド面の前記ねじ孔から前記重合面までの距離とが略同一であることを特徴としている。
【００１８】
このように、前記折曲溝の奥部まで前記第１のつば付きねじを移動させることにより、前記密着面と前記重合面とが互いに密着状態となる位置まで相対移動するように構成することができる。
【００１９】
また、この発明の電子機器の取付装置は、前記折曲溝を切欠いた係止面を有する前記支持部材及び受け部材のいずれか一方には、前記係止面と対向する対向面に、前記折曲溝と同一大、かつ、同一形状の折曲溝を穿設してあることを特徴としている。
【００２０】
これにより、受け部材は、支持部材に対してスムースなスライド動作を実現することができる。
【００２１】
また、この発明の電子機器の取付装置は、前記支持部材が、前記基体にＵボルトを介して組付けた断面略コ字型を有するとともに、
前記受け部材は、前記支持部材に内挿又は外挿可能な断面略ロ字型を有することを特徴としている。
【００２２】
これにより、電子機器は、簡単な機構・手段で支柱に固定することができる。
【００２３】
また、この発明の電子機器の取付装置は、前記受け部材には、対向する２面のいずれにも同一位置に前記ねじを止め付けるねじ孔を設け、前記電子機器に対する固定の向きを変更可能に構成したことを特徴としている。
【００２４】
これにより、設置現場での設置状況や設置方向に対応して、組み付け態様が弾力的に変更可能であり、しかも何れも同一の部材を用いて兼用できるので、部品の共用化によるコストダウンを図ることができる。
【００２５】
また、この発明の電子機器の取付装置は、前記折曲溝が、入り口から伸びるストレート部と、前記ストレート部から折曲する傾斜部とを有するとともに、
前記ストレート部に対する前記傾斜部の折曲角度は、３０度以上で９０度以下であることを特徴としている。
【００２６】
これにより、傾斜部まで第１のねじを進入させると、この第１のねじを折曲溝の傾斜部に係止させることができるので、受け部材及び電子機器が支持部材から脱落するのを防止させる係止力を発生させることができる。
【００２７】
【発明の実施の形態】
以下、この発明に係る実施の形態について、添付図面を参照しながら詳細に説明する。
［第１の実施の形態］
図１及び図２は、この発明の第１の実施の形態に係る電子機器１の取付装置を示すものであり、この取付装置は、ポール（不動状態である基体を構成）２に取付ける支持部材３と、電子機器を納めた筐体１に予め固定しておき支持部材３にねじ１０で止着して固定する受け部材４とを備えている。
【００２８】
本実施の形態の電子機器の筐体１には、固定系無線アクセスシステム（ＦＷＡ）の加入者局（ＣＰＥ）用のアンテナなどを収納させており、近隣に設置してある図示外の基地局用アンテナなどの屋外装置が設置されている方向に向けて固定・支持されている。
【００２９】
ねじ１０は、支持部材３に受け部材４を組み付ける作業に先立ち、予め受け部材４にある程度の深さまでねじ込んで仮止めさせておくようになっている。また、このねじ１０には、本実施の形態では、頭部が側方へ比較的大きく突出したねじ（以下、これを「鍔付きねじ」とよぶ）を用いており、後述するスライド面４１，４２に取付けておく第１ねじ１０Ａと、重合面４３に取付けておく第２ねじ１０Ｂとで構成されている。なお、この鍔付きねじ１０の代わりに、ワッシャやＣリングまたはＯリングを併用させてもよい。
【００３０】
これらのねじ１０は、特に、支持部材３と受け部材４とを一体に螺着して固定させるだけではなく、支持部材３に受け部材４を差し込んで組付け重合するときのスライドガイド手段を構成するものである。
【００３１】
このため、例えば、第１ねじ１０Ａについては、予め、第１ねじ１０Ａの頭（鍔）部とスライド面４１，４２の各外面部分との間に、支持部材３の後述する係止面３１，３２が入り込める程度の隙間（後述する図４のギャップＧ１，Ｇ２がこれに相当する）を確保させて取付けてある。
この第１ねじ１０Ａは、具体的には、図４（Ｂ）において、少なくとも係止面３１，３２の厚さｔ１程度又はそれより若干長めのギャップＧ１、即ち
Ｇ１≧ｔ１                            ・・・（１）
を確保した状態で、スライド面４１，４２にそれぞれねじ込んで取付けてある。
【００３２】
同様に、第２ねじ１０Ｂについても、図４（Ａ）において、少なくとも密着面３３の厚さｔ２と後述するバイアス移動（ストローク）動作の許容量Ｈ（折曲溝３４の傾斜部３４Ｃの全長Ｌの正弦量）とを合算した程度のギャップＧ２、即ち、
Ｇ２≧ｔ２＋Ｌ・ｓｉｎθ                  ・・（２）
を確保した状態で、重合面４３にねじ込んで取付けてある。
【００３３】
ポール２は、本実施の形態では、集合住宅のベランダのフェンス（図略）などに固定されており、図２（Ａ），（Ｂ）に示すように、鉛直方向に直立した状態で設置されている。なお、本実施の形態に係る取付装置では、電子機器の筐体１を鉛直方向に直立したポール２に対して起立させた状態（縦向き）で固定させてある。
【００３４】
支持部材３は、図２（Ａ）に示すように、適宜の薄板金属を板金加工することによって断面略コ字型に形成されており、本実施の形態では、断面真円形状のポール２に対して略Ｕ字状に形成されたＵボルト（又はストレート状のボルトなどでもよい）３０Ａ及びナット３０Ｂを用いて適宜の高さに固定してある。
そして、この支持部材３には、上面部分及び下面部分がそれぞれ略く字型を呈し細長形状の折曲溝３４を切欠いた係止面３１，３２を設けているとともに、上下の係止面３１，３２から折曲された側面部分が細長ストレート形状の直線溝３５を切欠いた密着面３３を有している。
【００３５】
このうち、係止面３１，３２にそれぞれ切欠いた折曲溝３４は、図１に示すように、ともに同一大で、かつ、同一形状を有しており、具体的には図３に示すように、挿入用の入り口３４Ａからストレートに伸びるストレート部３４Ｂと、このストレート部３４Ｂに対してこのストレート部３４Ｂの最奥部から折曲する傾斜部３４Ｃとを設けている。
特に傾斜部３４Ｃは、ストレート部３４Ｂに対して傾斜角度θ（°）で傾斜しているが、この傾斜角度は、挿入時の作業性と傾斜部３４Ｃへ挿入後の後述する第１ねじ１０Ａの抜け出し防止などを考慮して、少なくとも次式
３０°≦θ≦９０°                ・・・（３）
を満たす角度内に形成されている。
【００３６】
このように、傾斜部３４Ｃの形成方向がストレート部３４Ｂの形成方向とは交叉する構成となっているので、傾斜部３４Ｃまで第１ねじ１０Ａを進入させておく（これを「バイアス移動動作と」よぶ）と、脱出方向であるストレート部３４Ｂの形成方向に平行な方向へ支持部材３を引張させて引き抜こうとしても傾斜部３４Ｃに係止して止まる力が発生しているので、脱落防止作用が得られるようになっている。
【００３７】
しかも、この傾斜部３４Ｃでは、傾斜部３４Ｃまで第１ねじ１０Ａをバイアス移動動作させておくと、後述する受け部材４と一体の電子機器を納めた筐体１の質量に応じて作用する重力により、モーメントが発生している。
このため、予めある程度の深さまで第１ねじ１０Ａがねじ込ませてある受け部材４の上側及び下側のスライド面４１，４２のうち、特に上側の方のスライド面４１は、そのモーメントにより外側に向けて（つまり、支持部材３から離間する方向に向けて）斜めに傾斜するようになっている。
このため、先程の上側の第１ねじ１０Ａの頭部（鍔）の縁部が係止面３１に接触・係止するので、受け部材４が脱落するのをさらに阻止する摩擦力が発生し、より大きな脱落防止作用が得られるようになっている。これにより、いわゆる「仮止め状態」が自動的に設定されるわけである。
【００３８】
なお、第１ねじ１０Ａがストレート部３４Ｂに滞在している場合でも、同様のモーメント力が発生している。ところが、第１ねじ１０Ａの頭部とスライド面４１，４２との間の（最大静止）摩擦力の大きさによっては、電子機器を納めた筐体１の質量に比例して発生する重力の方がその摩擦力に勝っていると、第１ねじ１０Ａがストレート部３４Ｂから脱出する方向に滑り出す虞がある。
従って、鍔付きねじ１０で受け部材４を支持部材３に完全に螺着させる前に電子機器の筐体１から手を離しても、そのまま落下しないようにするためには、つまり、仮止め状態を確保するためには、第１ねじ１０Ａが傾斜部３４Ｃに達するところまで移動させておくことが好ましい。
【００３９】
しかも、これらの折曲溝３４は、この折曲溝３４の傾斜部３４Ｃの最奥部まで第１ねじ１０Ａをスライド移動させると、支持部材３の密着面３３の裏面が自動的に後述する受け部材４の重合面４３の表面に密着した状態となるようにするため（図５（Ｃ）参照）、図４（Ａ）において、係止面３１，３２の折曲溝３４の最奥部の中心位置（図３では、点Ｐに対応する）から密着面３３の裏面までの距離Ｘ１と、後述する受け部材４のスライド面４１，４２のねじ孔４１Ａ，４２Ａから重合面４３の表面までの距離Ｘ２とが同一となるように構成している。
【００４０】
一方、直線溝３５は、この直線溝３５の最奥部まで後述する第２ねじ１０Ｂをスライド移動させると、支持部材３の係止面３１，３２及び密着面３３の各先端が電子機器の筐体１の裏面１Ｂに突き当たって当接した状態となるようにするため（図５（Ｃ）では当接する直前の状態を示す）、図４（Ｂ）において、密着面３３の直線溝３５の最奥部の中心位置から密着面３３の先端までの距離Ｙ１と、後述する受け部材４の重合面４３のねじ孔４３Ａから電子機器の筐体１の裏面１Ｂまでの距離Ｙ２とが同一となるように構成している。
【００４１】
なお、本発明では、取付ける電子機器を納めた筐体１の重量にもよるが、この電子機器を納めた筐体１が比較的軽量なものであれば、折曲溝３４は、上側の係止面３１のみに形成することも可能であり、その場合、支持部材３と受け部材４とは、互いに隣接する２面どうしを螺着させる構成となる。
【００４２】
受け部材４は、図１に示すように、適宜の薄板金属を板金加工などによって断面略ロ字型を有する略箱状に形成されており、（支持部材３の折曲溝３４に挿通させて）係止面３１，３２に螺着させる第１ねじ１０Ａを取付けるためのねじ孔４１Ａ，４２Ａを設けたスライド面４１，４２と、（支持部材３の直線溝３５に挿通させて）密着面３３に螺着させる第２ねじ１０Ｂを取付けるためのねじ孔４３Ａを設けた重合面４３とを有している。
【００４３】
この重合面４３に形成するねじ孔４３Ａの穿設位置については、重合面４３の先端からの距離の大小により、このねじ孔４３Ａに取付ける第２ねじ１０Ｂが直線溝３５に進入するタイミングが異なる。即ち、ねじ孔４３Ａが重合面４３の先端に近く形成してある場合には、第１ねじ１０Ａが折曲溝３４のストレート部３４Ｂを進行中に第２ねじ１０Ｂが直線溝３５に進入することとなり、長めの直線溝３５内を移動するので、より一層安定したスライド動作が確保できるようになる。
【００４４】
また、本実施の形態では、設置現場の状況により、支持部材３の直線溝３５を有する密着面３３を、受け部材４の左右いずれか好ましい方の重合面４３と螺着させることができるようにするため、左右いずれの重合面４３にもねじ孔４３Ａが切られた構成となっている。
【００４５】
なお、本実施の形態では、これらの溝３４，３５は支持部材３に形成するとともに、受け部材４にはそれらの溝３４，３５に係合するねじ１０を予め仮止めさせておくように構成したが、本発明では、これらの溝３４，３５を受け部材４に形成するとともに、支持部材３にはその溝３４，３５に係合するねじ１０を仮止めさせておくように構成してもよい。
【００４６】
また本発明では、さらに、例えば、支持部材３と受け部材４とのいずれか一方において、互いに隣接する２面に直線溝３５と第１のねじ１０Ａとを設けるとともに、支持部材３と受け部材４とのいずれか他方において、互いに隣接する２面に折曲溝３４と第２のねじ１０Ｂとをそれぞれ設けるように構成することも可能である。
【００４７】
次に、本実施の形態に係る電子機器の取付装置を用いて、実際に、電子機器の筐体１として例えば固定系無線アクセスシステム（ＦＷＡ）の加入者局（ＣＰＥ）用のアンテナなどを収納させた屋外装置の筐体を、ポール２に取付ける場合の作業方法について、主に図５を参照しながら具体的に説明する。
【００４８】
（１）初めに、ポール２を予め適宜の位置に、例えば集合住宅のベランダに設置する場合には、図示外のベランダのフェンスなどに不動状態でしっかりと固定しておく。なお、本実施の形態の場合、このポール２は、重力の作用する方向に平行な鉛直方向に起立させた状態で設置しておくものとする（図１、図２参照）。
【００４９】
（２）次に、そのポール２にＵボルト３０Ａ及びナット３０Ｂ（図１参照）を用い、ポール２の適宜高さで、かつ、基地局用のアンテナのある方向に指向させて、支持部材３を固定する。一方、電子機器の筐体１は縦向きで設置するため、略矩形箱状の受け部材４の長手方向がこの電子機器の筐体１の長手方向と一致するように縦向きで、背面１Ｂ部分に受け部材４を螺着しておく。
【００５０】
（３）そして、図５（Ａ），（Ｂ）に示すように、支持部材３の略コ字型に開口された先端部分からその開口内部に、受け部材４を差し込むようにして挿入していく。
【００５１】
（４）ここで、
▲１▼初めに、図４（Ａ）に示すように、受け部材４の第１ねじ１０Ａが支持部材３の折曲溝３４に挿入されていくように、支持部材３の受け部材４に対する差込位置を調整しながら、支持部材３を受け部材４へ押し込ませて組み付けていく。即ち、第１ねじ１０Ａの頭部とスライド面４１，４２との間の隙間部分（ギャップＧ１（図４（Ｂ）参照））に、支持部材３の各係止面３１，３２がそれぞれ挟み込まれていくように押込んで挿入する。
【００５２】
▲２▼そして、図５（Ｂ）に示すように、受け部材４及び電子機器の筐体１を、図示外のポール２及び支持部材３のある左方向に向けて押し込んでいくと、スライド面４１，４２にそれぞれ設けた第１ねじ１０Ａが折曲溝３４にガイドされながら、ポール２及び支持部材３に向けて受け部材４がスムースに前進移動できる。
【００５３】
この場合、受け部材４は、例えばこの下面であるスライド面４２の底面部分が支持部材３の係止面３２に下から支承・支持されながらスライド動作するので、別言すれば、受け部材４を手で持ち上げて保持しておく必要がないので、片手だけによる軽い操作力でも容易に移動させることができる。
【００５４】
▲３▼さらに、受け部材４を電子機器の筐体１とともにポール２及び支持部材３に向けて前進する方向に押動させていくと、図５（Ｃ）に示すように、第１ねじ１０Ａがストレート部３４Ｂを通過した後、進行方向がシフトして傾斜部３４Ｃへ進入していく（バイアス移動動作を行う）。
【００５５】
（５）このようにして、受け部材４が電子機器の筐体１とともにポール２及び支持部材３に向けて前進移動していくが、第１ねじ１０Ａが傾斜部３４Ｃ（第２ねじ１０Ｂの取付位置によってはストレート部３４Ｂ）を移動する途中で、重合面４３の第２ねじ１０Ｂは、密着面３３の直線溝３５へ進入していく。
正確には、第２ねじ１０Ｂの頭部と重合面４３の外面との間の隙間部分（ギャップＧ２、図４（Ａ）参照）に密着面３３の直線溝３５が滑らかに進入していく。その結果、その後は、受け部材４が３点で支持部材３と係合しながら、一層安定した状態でスライド動作を行うことができる。
【００５６】
（６）これにより、電子機器の筐体１とともに受け部材４を、ポール２及び支持部材３に向けて最後まで押し込んでいくと、第１ねじ１０Ａが傾斜部３４Ｃの最奥部に向けて移動していく。
そして、図５（Ｃ）に示すように、第１ねじ１０Ａが傾斜部３４Ｃの最奥部の近くまで移動すると（最終的には図２（Ｂ）の状態まで）、前述の仮止め状態となるので、受け部材４及び電子機器の筐体１から手を離しても、受け部材４が支持部材３から抜け出すことがない。
【００５７】
これにより、フリーとなった手を使って、第１ねじ１０Ａ及び第２ねじ１０Ｂを確実に、しかも、容易に締め付けることができ、これらのねじ１０を落下させることを防止できる。
同時に、これにより、密着面３３の内面部分が重合面４３の外面部分にちょうど密着する状態となり、双方の内外面がしっかりと重ね合わされるので、自動的に位置決めされた状態にもなる。
【００５８】
（７）そこで、この状態のまま、第１ねじ１０Ａ及び第２ねじ１０Ｂの都合３本のねじ１０を締め付けると、完全に抜け止めされた状態となり、受け部材４を支持部材３に安定した状態で固定することができる。
【００５９】
つまり、図３において、例えば係止面３１での第１ねじ１０Ａの締め付け点Ｐと密着面３３での第２ねじ１０Ｂの締め付け点Ｑとの間の距離Ｓ１は、折曲溝３４の入り口３４Ａから抜け出す際に必要な通過点Ｒと密着面３３での第２ねじ１０Ｂの締め付け点Ｑとの間の距離Ｓ２よりも短い。
このため、受け部材４は、支持部材３に対して、この２点Ｐ，Ｑ間でしっかりと挟持・挟着された状態となり、第１，第２のねじ１０Ａ，１０Ｂを緩めない限り、これらの溝３４，３５から第１，第２のねじ１０Ａ，１０Ｂが抜け出すことがない。
これにより、受け部材４は、支持部材３に確実に組み付け固定され、長期間に亙り脱落などの虞がなく、安全性及び信頼性が高まる。
【００６０】
なお、このようにして受け部材４を支持部材３に固定する場合、係止面３１，３２の先端が電子機器の筐体１の裏面１Ｂにぴったりと突き当たるようにすれば（図４参照）、安定した状態で双方の部材が固定できる。
【００６１】
［第２の実施形態］
次に、本発明の第２の実施形態について、図６を参照しながら説明する。なお、本実施の形態において、第１の実施形態と同一部分には同一符号を付して重複説明を避ける。
第２の実施の形態に係る電子機器の取付装置では、第１の実施の形態とは異なり、電子機器の筐体１を固定させるポール２は、重力の作用する鉛直方向に直交する水平方向に設置している。
【００６２】
一方、電子機器の筐体１は、常時、縦向き（長手方向が鉛直線と平行となる）に配置させるようになっているので、第１の実施の形態と同じ向きとなる。
【００６３】
他方、受け部材３は、前述したように、電子機器の筐体１から一時的に手を離して受け部材４が支持部材３から抜け出すことがない、つまり仮止め状態での安全性を考慮して、直線溝３５の形成してある密着面３３の方が位置的に下方となるように（横置きの状態で）設置してある。即ち、受け部材３は、折曲溝３４の傾斜部３４Ｃが入り口３４Ａやストレート部３４Ｂなどよりも上下方向については下側となるような位置関係で、ポール２に取付けてある。
【００６４】
受け部材４は、第１の実施の形態の鉛直方向に直立したポール２に取付ける場合とは異なり、９０度姿勢を回転させた状態に取付けてある。つまり、電子機器の筐体１の幅方向に沿って取り付けておくようにしてあるので、電子機器の筐体１を鉛直方向に起立させた状態（縦向き）でポール２に固定することができる。
【００６５】
次に、本実施の形態において、取付装置を用いて電子機器の筐体１をポール２に取付けるときの作業方法については、図５などに示す先の第１の実施形態と同様である。
【００６６】
（１）つまり、最初に、受け部材４を支持部材３に差し込ませてゆき、第１ねじ１０Ａを折曲溝３４（図示せず）に挿入させるようにする。
【００６７】
（２）その後、その折曲溝３４にガイドされながら、折曲溝３４の奥部に向けて第１ねじ１０Ａをスライドさせるように押し込んでいくと、受け部材４及び電子機器の筐体１は、バイアス移動動作を行いながら、折曲溝３４の奥部の傾斜部３４Ｃに向けて落ち込んでいく。
【００６８】
（３）これにより、ロック状態となるので、第１の実施の形態の場合に比べて、さらに強力な仮止め状態となるので、受け部材４及び電子機器の筐体１から手を離しても、支持部材３から受け部材４が抜け出すことが完全に回避される。
従って、フリーとなった手を使って、第１ねじ１０Ａ及び第２ねじ１０Ｂを確実に、しかも容易に締め付けることができる。
【００６９】
【発明の効果】
以上説明してきたように、本発明では、不動状態の基体に取付ける支持部材と、電子機器を固定するとともに支持部材にねじ止めして固定させる受け部材とを備え、電子機器を基体に取付ける取付装置であって、支持部材及び受け部材のいずれか一方に、少なくとも、略く字型を呈する細長形状の折曲溝を穿設した係止面と、係止面と隣接し細長ストレート形状の直線溝を穿設した密着面とを有するとともに、支持部材及び受け部材のいずれか他方に、折曲溝に挿通させて係止面に螺着させる第１のねじを取付けるねじ孔を設けたスライド面と、直線溝に挿通させて密着面に螺着させる第２のねじを取付けるねじ孔を設けた重合面とを有している。
【００７０】
従って、本発明によれば、着脱作業の際にねじや固定しようとする電子機器を落下させたりすることを防止できるので安全性が高く、しかも狭い場所などでも容易に、かつ、スムースに着脱作業を行うことができるので、作業性も向上するものであって、さらに、簡単な加工で製造することができる効果も得られる。
【図面の簡単な説明】
【図１】本発明の第１の実施形態に係る電子機器の取付装置を示す分解斜視図である。
【図２】図１の第１の実施形態に係る電子機器を示すものであり、（Ａ）は背面図、（Ｂ）は側面図を示すものである。
【図３】本発明の第１の実施形態に係る電子機器の取付装置の折曲溝と第１、第２のねじとの位置関係などを示す説明図である。
【図４】本発明の第１の実施形態に係る電子機器の取付装置を用いて、電子機器をポールに固定する時の状態を示すものであり、（Ａ）は平面図、（Ｂ）は側面図である。
【図５】（Ａ）から（Ｃ）は、本発明の第１の実施形態に係る電子機器の取付装置を用いて、電子機器をポールに固定する時の状態を示す説明図である。
【図６】本発明の第２の実施形態に係る電子機器の取付装置を示すものであり、（Ａ）は背面図、（Ｂ）は正面図である。
【図７】従来の電子機器の取付装置を示す概略平面図である。
【図８】従来の無線アクセスシステム（ＦＷＡ）アンテナを従来の取付装置を用いてポールに取り付ける時の状態を示す分解斜視図である。
【図９】図７に示す従来の電子機器の取付装置におけるねじ孔を設置した支持部材及び受け部材を示す側面図である。
【符号の説明】
１      電子機器を納めた筐体（アンテナ）
１０    ねじ
１０Ａ  第１ねじ
１０Ｂ  第２ねじ
２      ポール（基体）
３      支持部材
３０Ａ  Ｕボルト
３０Ｂ  ナット
３１    係止面
３２    係止面
３３    密着面
３４    折曲溝
３４Ａ  入り口
３４Ｂ  ストレート部
３４Ｃ  傾斜部
３５    直線溝
４      受け部材
４１    スライド面
４２    スライド面
４１Ａ  ねじ孔
４２Ａ  ねじ孔
４３    重合面
４３Ａ  ねじ孔
Ｐ      締め付け点
Ｑ      締め付け点
Ｒ      通過点
【図１】
2004319841.tif 000003
【図２】
2004319841.tif 000004
【図３】
2004319841.tif 000005
【図４】
2004319841.tif 000006
【図５】
2004319841.tif 000007
【図６】
2004319841.tif 000008
【図７】
2004319841.tif 000009
【図８】
2004319841.tif 000010
【図９】
2004319841.tif 000011